(57)【要約】【課題】包装容器の外観を損なうことなく、１つの閉じ動作で容器本体の開口部を蓋体で閉止する。【解決手段】コーナー部に被嵌合部が形成された容器本体２と、この容器本体の開口部を開閉可能であり、かつコーナー部に前記容器本体の被嵌合部に対して嵌合可能な嵌合部が形成された蓋体３と、前記容器本体と蓋体とを連結するヒンジ部４とで包装容器を構成する。この包装容器は、前記ヒンジ部４の一方の縁部から平坦部２３を介して前記蓋体の嵌合部２２ａに延びる第１の延出部２４と、他方の縁部から傾斜部２５を介して前記容器本体の被嵌合部１３ａに延びる第２の延出部２６とを備えており、前記蓋体が開いた状態で、前記容器本体の底面６ｂ及び前記蓋体の天面１５ｂを同一面又は平行に位置させたとき、前記ヒンジ部の縦方向の断面において、前記平坦部よりも前記傾斜部の上端の高さが高い。【選択図】　　　図２
2004067153.tif 000002
【特許請求の範囲】
【請求項１】
コーナー部に被嵌合部が形成された容器本体と、この容器本体の開口部を開閉可能であり、かつコーナー部に前記容器本体の被嵌合部に対して嵌合可能な嵌合部が形成された蓋体と、前記容器本体と蓋体とを連結するヒンジ部とで構成された容器であって、前記ヒンジ部の一方の縁部から第１の平坦部を介して前記蓋体の嵌合部に延びる第１の延出部と、他方の縁部から傾斜部を介して前記容器本体の被嵌合部に延びる第２の延出部とを備えており、前記蓋体が開いた状態で、前記容器本体の底面及び前記蓋体の天面を同一面又は平行に位置させたとき、前記ヒンジ部の縦方向の断面において、前記第１の平坦部よりも前記傾斜部の上端の高さが高い包装容器。
【請求項２】
縦方向の断面において、傾斜部の上端が第１の平坦部に比べて０．５〜４ｍｍ高く、前記蓋体が開いた状態で、前記容器本体の底面及び前記蓋体の天面を同一面又は平行に位置させたとき、傾斜部の角度が１〜６０°である請求項１記載の包装容器。
【請求項３】
蓋体が開いた状態で、容器本体の底面及び前記蓋体の天面を同一面又は平行に位置させたとき、傾斜部の断面が直線状又は上方に湾曲した曲線状である請求項１記載の包装容器。
【請求項４】
容器本体が、収容凹部と、この収容凹部の側壁の上縁から側方に延び、かつ周縁部に形成された断面コ字状の凸部と、この凸部の外壁の周縁部から側方に延びるフランジと、前記凸部の外壁に形成された凹状被嵌合部とで構成され、蓋体が、天面と、この天面の周縁部から延びる側壁と、この側壁の周縁部に形成され、かつ前記容器本体の凸部に対応する断面Ｌ字状の折曲部と、この折曲部の周縁部から側方に延びるフランジとで構成されており、前記折曲部が、前記容器本体の凸部の頂面に対応し、かつ前記蓋体の側壁から側方に延びる第２の平坦部と、前記容器本体の凸部の外壁に対応し、かつ前記第２の平坦部の周縁部から延びる壁面とを有しており、前記折曲部の壁面に凸状嵌合部が形成されている包装容器であって、ヒンジ部の縦方向の断面において、前記容器本体側のフランジ又は第２の延出部よりも傾斜部全体の高さが低い請求項１記載の包装容器。
【請求項５】
容器本体及び蓋体において、ヒンジ部側のコーナー部に被嵌合部及び嵌合部がそれぞれ形成され、ヒンジ部に対して外方側のコーナー部に被嵌合部及び嵌合部がそれぞれ形成されており、前記外方側の被嵌合部に対して嵌合部を嵌合させる閉じ動作に伴って、前記ヒンジ部側の被嵌合部に対して、嵌合部を嵌合可能である請求項１記載の包装容器。
【請求項６】
容器本体に対する蓋体の閉じ動作に伴って、第１の平坦部と傾斜部とが少なくとも部分的に接触可能であり、かつ第１の延出部と第２の延出部とが接触可能である請求項４記載の包装容器。
【請求項７】
容器本体及び蓋体のうちヒンジ部側のコーナー部がアール状に形成されており、このアール状コーナー部の両端から延びる垂線の交点を中心とし、この交点からヒンジ部へ延ばした垂線の角度を０°としたとき、ヒンジ部側の嵌合部が、アール状コーナー部のうち、角度０〜６０°の範囲に形成されている請求項１記載の包装容器。
【発明の詳細な説明】
【０００１】
【発明の属する技術分野】
本発明は、簡単な操作でスムーズに容器本体と蓋体とを嵌合できる食品（菓子などを含む）などを収容するのに適した包装容器に関する。
【０００２】
【従来の技術】
菓子などの食品を収容する包装容器の１つとして、プラスチック製の容器本体と蓋体とがヒンジを介して一体化された容器などが用いられている。このような容器では、容器本体と蓋体との閉止作業を容易にするため、容器本体と蓋体とをスムーズに嵌合及び閉止できることが要求される。
【０００３】
図４は、従来の包装容器の一例を示す部分断面図であり、図５は、図４の包装容器の部分切欠斜視図である。この包装容器は、プラスチックシートを成形することにより形成されており、容器本体３２と蓋体３３とがヒンジ部３４を介して連結されている。容器本体３２は、収容凹部３５を有しており、この収容凹部は、底壁３６と、この底壁の周縁部から外方に傾斜して形成された側壁３７と、この傾斜側壁３７の上縁から側方に延び、かつ周縁部に形成された頂面３８を有する断面コ字状の凸部３９を有し、この凸部の外壁４０には凹状被嵌合部４３が形成されている。蓋体３３は、容器本体３２の収容凹部３５に対応する膨出部４４を有しており、この膨出部は、天壁４５と、この天壁の周縁部に外方に傾斜して形成された傾斜側壁４６と、前記容器本体３２の凸部３９に対応して傾斜側壁４６の周縁部に形成された断面Ｌ字状の折曲部４７とを有している。前記折曲部４７の壁面５０には前記容器本体３２の被嵌合部４３に対して嵌合可能な凸状嵌合部５２が形成されている。ヒンジ部３４の一方の端部には、第１の平坦部５３を介して蓋体３３の嵌合部５２に延びる第１の延出部５４が形成され、他方の端部には第２の平坦部５５を介して、容器本体３２の被嵌合部４３に延びる第２の延出部５６が形成されており、蓋体３３側の第１の平坦部５３と容器本体３２側の第２の平坦部５５とは高さが同レベルである。
【０００４】
このような容器では容器本体３２に対して、閉じ方向に蓋体３３を回動させて、嵌合部と被嵌合部とを嵌合させることができる。しかし、図５に示すように、容器本体３２に対する蓋体３３の閉じ動作に伴って、第１の平坦部５３と第２の平坦部５５とが接触した状態で、ヒンジ部３４に蓋体３３方向への引張り力が作用するため、嵌合部と被嵌合部とが位置ずれし、簡便かつ緊密に嵌合させるのが困難となる。
【０００５】
また、実用新案登録第２５９７９２３号公報には、前記のような一体型の容器において、ヒンジの容器本体側のヒンジ部有効長を蓋体側のヒンジ部有効長よりも短くすることにより、容器本体に形成された嵌合部と蓋体に形成された嵌合部とを互いに嵌合させて、１動作で閉止、包装することができる閉止嵌合容器が開示されている。
【０００６】
図６は、このような従来の包装容器の一例を示す部分断面図であり、図７は、図６の包装容器の部分切欠斜視図である。この包装容器は、プラスチックシートを成形することにより形成されており、容器本体６２と蓋体６３とがヒンジ部６４を介して連結されている。容器本体６２は、収容凹部６５を有しており、この収容凹部は、底壁６６と、この底壁の周縁部から外方に傾斜して形成された側壁６７と、この傾斜側壁６７の上縁から側方に延び、かつ周縁部に形成された頂面６８を有する断面コ字状の凸部６９を備えており、この凸部の外壁７０には凹状被嵌合部７３が形成されている。蓋体６３は、容器本体６２の収容凹部６５に対応する膨出部７４を有しており、この膨出部は、天壁７５と、この天壁の周縁部に外方に傾斜して形成された傾斜側壁７６と、前記容器本体６２の凸部６９に対応して傾斜側壁７６の周縁部に形成された断面Ｌ字状の折曲部７７とを有している。前記折曲部７７の壁面８０には前記容器本体６２の被嵌合部７３に対して嵌合可能な凸状嵌合部８２が形成されている。ヒンジ部６４の一方の端部には、第１の平坦部８３を介して蓋体６３の嵌合部８２に延びる第１の延出部８４が形成され、他方の端部には第２の平坦部８５を介して、容器本体６２の被嵌合部７３に延びる第２の延出部８６が形成されており、蓋体６３側の第１の平坦部８３が容器本体６２側の第２の平坦部８５より高さがｄ２だけ高くなっている。
【０００７】
このような容器では容器本体６２に対して、閉じ方向に蓋体６３を回動させて、嵌合部と被嵌合部とを嵌合させることができる。しかし、図７に示すように、容器本体６２に対する蓋体６３の閉じ動作に伴って、蓋体６３側のヒンジ部６４が上方に持ち上げられてヒンジ部６４が拡径し、嵌合部と被嵌合部とが位置ずれするとともに、収容物（特に流動物）がヒンジ部６４から漏れ易く、また逆にヒンジ部６４からほこりなどの異物が入り易くなる虞がある。また、容器本体側のヒンジ部有効長を蓋体側のヒンジ部有効長よりも短くしているため、容器本体と蓋体とが非平行状態に見え、デザイン性に劣る。
【０００８】
実開昭４９−３８６０３号公報では、蓋体と本体とで構成され、一部が連結部によって連結されている嵌合可能な容器において、本体の外周縁部と、蓋体の外周縁部と、本体及び連結部間の接続縁部とが同一平面上になるように形成され、蓋体の外周縁部の内側には立上がり部が、その内側には段部がそれぞれ形成され、蓋体の外周縁部のうち連結部に接続する接続縁部が前記段部と同一平面に形成された容器が開示されている。この容器では、本体側の接続縁部に比べて、蓋体側の接続縁部の高さが段部の分だけ低くなっている。実開昭６１−６６１０５号公報には、本体と被蓋とを蝶番で連結したフードパックにおいて、前記蝶番が本体側の幅が広く彎曲部が大きい蝶番と被蓋側の幅が狭く、彎曲面が小さい蝶番との２段の蝶番であり、被蓋の蝶番と接する縁以外の３辺の縁を延長して本体の周側縁が没入するように折り曲げられたパックが開示されている。しかし、これらの容器では、本体と蓋体とを一動作でスムーズに嵌合できない。また、後者のフードパックでは、蝶番部の断面が大きくなり、収容物が漏れたり、異物が侵入する虞がある。
【０００９】
【発明が解決しようとする課題】
従って、本発明の目的は、容器の外観を損なうことなく、１つの閉じ動作で容器本体の開口部を蓋体で閉止できる包装容器を提供することにある。
【００１０】
本発明の他の目的は、簡単な操作でスムーズに嵌合及び閉止できる包装容器を提供することにある。
【００１１】
【課題を解決するための手段】
本発明者らは、前記課題を達成するため鋭意検討した結果、容器本体と蓋体とがヒンジ部で連結された包装容器において、ヒンジ部の縦方向の断面において、ヒンジ部と蓋体との間に形成された平坦部に対して、ヒンジ部と容器本体との間に形成された傾斜部の上端の高さを高くすることにより、１つの閉じ動作で容器本体のコーナー部の被嵌合部に対して、蓋体のコーナー部の嵌合部を簡便かつスムーズに嵌合させることができることを見出し、本発明を完成した。
【００１２】
すなわち、本発明の包装容器は、コーナー部に被嵌合部が形成された容器本体と、この容器本体の開口部を開閉可能であり、かつコーナー部に前記容器本体の被嵌合部に対して嵌合可能な嵌合部が形成された蓋体と、前記容器本体と蓋体とを連結するヒンジ部とで構成されている。そして、前記ヒンジ部の一方の縁部から第１の平坦部を介して前記蓋体の嵌合部に延びる第１の延出部と、他方の縁部から傾斜部を介して前記容器本体の被嵌合部に延びる第２の延出部とを備えており、前記蓋体が開いた状態で、前記容器本体の底面及び前記蓋体の天面を同一面又は平行に位置させたとき、前記ヒンジ部の縦方向の断面において、前記第１の平坦部よりも前記傾斜部の上端の高さが高い。そのため、傾斜部が余裕部として機能し、蓋体の閉じ動作（外方側での嵌合動作）に伴って、第１の平坦部が傾斜部に向かって回動するとともにヒンジ部側で被嵌合部に対して嵌合部が嵌合し、外方側の被嵌合部と嵌合部とで嵌合する。従って、１つの閉じ動作（ワンタッチ動作）により容器本体と蓋体とをそれぞれのコーナー部で嵌合できる。さらに、前記容器本体の底面と前記蓋体の天面とを同一面又は平行に位置させることができるので、外観を損ねることもない。
【００１３】
前記縦方向の断面において、傾斜部の上端は、第１の平坦部に比べて０．５〜４ｍｍ高くてもよく、前記蓋体が開いた状態で、前記容器本体の底面及び前記蓋体の天面を同一面又は平行に位置させたとき、傾斜部の角度は１〜６０°であってもよい。蓋体が開いた状態で、容器本体の底面及び前記蓋体の天面を同一面又は平行に位置させたとき、傾斜部の断面は直線状又は上方に湾曲した曲線状であってもよい。
【００１４】
前記容器本体は、収容凹部と、この収容凹部の側壁の上縁から側方に延び、かつ周縁部に形成された断面コ字状の凸部と、この凸部の外壁の周縁部から側方に延びるフランジと、前記凸部の外壁に形成された凹状被嵌合部とで構成してもよく、蓋体は、天壁と、この天壁の周縁部から延びる側壁と、この側壁の周縁部に形成され、かつ前記容器本体の凸部に対応する断面Ｌ字状の折曲部と、この折曲部の周縁部から側方に延びるフランジとで構成してもよい。前記折曲部は、前記容器本体の凸部の頂面に対応し、かつ前記蓋体の側壁から側方に延びる第２の平坦部と、前記容器本体の凸部の外壁に対応し、かつ前記第２の平坦部の周縁部から延びる壁部とを有していてもよい。このような前記折曲部の壁部に凸状嵌合部が形成されている包装容器において、ヒンジ部の縦方向の断面において、傾斜部全体の高さは、前記容器本体側のフランジ又は第２の延出部よりも低くてもよい。
【００１５】
前記容器本体及び蓋体において、ヒンジ部側のコーナー部に被嵌合部及び嵌合部をそれぞれ形成し、ヒンジ部に対して外方側のコーナー部に被嵌合部及び嵌合部をそれぞれ形成し、前記外方側の被嵌合部に対して嵌合部を嵌合させる閉じ動作に伴って、前記ヒンジ部側の被嵌合部に対して、嵌合部は嵌合可能であってもよい。容器本体に対する蓋体の閉じ動作に伴って、第１の平坦部と傾斜部とが少なくとも部分的に接触してもよく、第１の延出部と第２の延出部とが接触可能であってもよい。
【００１６】
容器本体及び蓋体のうちヒンジ部側のコーナー部はアール状に形成されていてもよく、このアール状コーナー部の両端から延びる垂線の交点を中心とし、この交点からヒンジ部へ延ばした垂線の角度を０°としたとき、ヒンジ部側の嵌合部を、アール状コーナー部のうち、角度０〜６０°（例えば、０〜４５°）の範囲に形成してもよい。このような範囲にヒンジ部側の嵌合部を形成することによりヒンジ部側の嵌合部と被嵌合部との嵌合を容易にでき、外方側の嵌合部と被嵌合部とを嵌合させるという１つの閉じ動作で、ヒンジ部側の嵌合部と被嵌合部とをより円滑に嵌合できる。
【００１７】
なお、本明細書において、「被嵌合部」と「嵌合部」とは相対的な用語であり、互いに嵌合可能である限り、容器本体に嵌合部を形成し、蓋体に被嵌合部を形成してもよい。
【００１８】
【発明の実施の形態】
以下、添付図面を参照しつつ、本発明をさらに詳細に説明する。
【００１９】
図１は、本発明の包装容器の一例を示す概略斜視図であり、図２は、図１の要部断面図であり、図３は、図２において、蓋体を閉じた状態での要部切欠斜視図である。
【００２０】
包装容器１は、プラスチックシートを成形することにより平面方形状に形成されており、食品などの収容物を収容するためのプラスチック製容器本体２と、この容器本体２の開口部を開閉可能であるプラスチック製蓋体３と、前記容器本体２と蓋体３とを連結するプラスチック製ヒンジ部４とで構成されている。容器本体２及び蓋体３は、それぞれ平面形状が方形状（この例では長方形状）に形成されている。
【００２１】
前記容器本体２は、収容凹部５を有しており、この収容凹部は、底壁６ａと、この底壁６ａの周縁部に形成された側壁７とで構成されている。前記容器本体２は、さらに前記側壁７の上縁から側方に延び、かつ周縁部に形成された頂面８を有する断面コ字状の凸部９と、この凸部９の外壁１０の周縁部から側方に延びるフランジ１１とを有している。
【００２２】
前記容器本体２の開口部を開閉可能な蓋体３は、前記収容凹部５に対応して形成された膨出部１４を備えており、この膨出部は、天壁１５ａと、この天壁１５ａの周縁部から延びる側壁１６とで構成されている。前記側壁１６の周縁部には、前記容器本体２の凸部９に対応して形成された断面Ｌ字状の折曲部１７が形成され、この折曲部の周縁部には、この周縁部から側方に延びるフランジ１８が形成されている。
【００２３】
前記折曲部１７は、前記容器本体２の凸部９を囲撓又は覆うことができ、凸部９に対して接触可能であってもよい。すなわち、前記折曲部１７は、前記容器本体２の凸部９の頂面８に対応し、かつ前記側壁１６から側方に延びる平坦部（第２の平坦部）１９と、前記容器本体２の凸部９の外壁１０に対応し、かつ前記第２の平坦部１９の周縁部から延びる壁部２０とを有している。
【００２４】
前記ヒンジ部４は、縦方向の断面において、湾曲した凹状の形状を有している。また、蓋体３の開閉動作を容易にするため、ヒンジ部４の幅は容器１の外縁近くで湾曲して、狭まっている。そのため、収容物の漏れを防いで、外部からの異物の侵入を防止できる。
【００２５】
前記容器本体２は、アール状コーナー部１２において、凸部９の外壁１０に、被嵌合部（凹状被嵌合部）１３を備えており、前記蓋体３は、アール状コーナー部２１において、折曲部１７の壁部２０に、前記容器本体２の被嵌合部１３に対して嵌合可能な嵌合部（凸状嵌合部）２２を備えている。
【００２６】
より詳細には、容器本体２及び蓋体３において、ヒンジ部４側のコーナー部１２ａ，１２ｂ，２１ａ，２１ｂには、被嵌合部１３ａ，１３ｂ及び嵌合部２２ａ，２２ｂがそれぞれ形成され、ヒンジ部４に対して外方側のコーナー部１２ｃ，１２ｄ，２１ｃ，２１ｄには、被嵌合部１３ｃ，１３ｄ及び嵌合部２２ｃ，２２ｄがそれぞれ形成されている。
【００２７】
蓋体３のうち、ヒンジ部４側のコーナー部において、容器本体２の凸部９と接触することなく、容器本体２への蓋体３の閉じ動作を容易にするため、凸状嵌合部２２ａ，２２ｂはヒンジ部４側に形成されており、蓋体３の側部（ヒンジ部４に隣接する側部）には、凸状嵌合部が実質的に形成されていない。すなわち、ヒンジ部４側のコーナー部において、凸状嵌合部を容器の側部に形成すると、ワンタッチ嵌合に大きな力を必要とする。図１の例では、アール状コーナー部において、前記ヒンジ部４側の被嵌合部及び嵌合部は、前記アール状コーナー部の両端から延びる垂線の交点を中心とし、この交点からヒンジ部４へ延ばした垂線の角度を０°としたとき、角度０〜４５°の領域に凸状嵌合部２２ａ，２２ｂが形成されている。
【００２８】
また、ヒンジ部３に対して対向する辺（外方側）のコーナー部では、嵌合強度を高めるため、嵌合部２２ｃ，２２ｄ及び被嵌合部１３ｃ，１３ｄは、コーナー部全体にわたって湾曲して形成されている。
【００２９】
前記蓋体３のうち、ヒンジ部４側のコーナー部１２ａ，１２ｂ，２１ａ，２１ｂには、前記ヒンジ部４の一方の端部から平坦部（第１の平坦部）２３を介して前記蓋体３の嵌合部２２ａ，２２ｂに延びる第１の延出部２４が形成され、容器本体のうちヒンジ部４の他方の端部から傾斜部２５を介して前記容器本体２の被嵌合部１３ａ，１３ｂに延びる第２の延出部２６とが形成されている。前記第１の延出部２４は、第１の平坦部２３からほぼ直交する方向に延び、凸状嵌合部２２ａ，２２ｂに至っている。また、前記傾斜部２５は、開放状態において、ヒンジ部４から容器本体の開口部に向かって、斜め上方に延びており、第２の延出部２６は傾斜部２５の上端から第１の延出部２４とほぼ平行に上方に延び、凹状被嵌合部１３ａ，１３ｂに至っている。
【００３０】
そして、前記蓋体３が開いた状態において、前記容器本体２の底面６ｂ及び前記蓋体３の天面１５ｂを同一面又は平行に位置させたとき、前記ヒンジ部４の縦方向の断面において、前記第１の平坦部２３よりも前記傾斜部２５の上端の高さが高くなっている。図１及び図２の例では、傾斜部２５の上端は、蓋体３側の第１の平坦部２３に比べて、０．５〜３ｍｍ程度高くなっている。また、前記蓋体３が開いた状態において、前記容器本体２の底面６ｂ及び前記蓋体３の天面１５ｂを同一面又は平行に位置させたとき、上記底面６ｂ又は天面１５ｂを基準として、傾斜部２５の角度は１０〜４５°程度である。
【００３１】
なお、把持性を高め、蓋体３を容器本体２から外すための嵌合解除操作を容易にするため、ヒンジ部４に対して外方側のコーナーの縁部２７，２８には、エンボス加工などの粗面加工が施されている。
【００３２】
このような容器では、縦方向の断面において、容器本体側の傾斜部の上端の高さを第１の平坦部の高さより高くすることにより、蓋体の閉じ動作に伴って、ヒンジ部が変形しても、傾斜部と第１の平坦部とを効率よく接触でき、ヒンジ部に対して外方側の被嵌合部とこの被嵌合部に対応する嵌合部との嵌合のみならず、ヒンジ部側の被嵌合部及び嵌合部までもスムーズに嵌合させることができる。すなわち、容器本体２への蓋体３の閉じ動作に伴って、前記外方側の被嵌合部１３ｃ，１３ｄと、嵌合部２２ｃ，２２ｄとの嵌合に先だって、ヒンジ部側の被嵌合部１３ａ，１３ｂと嵌合部２２ａ，２２ｂとをそれぞれ嵌合可能である。そのため、前記外方側の被嵌合部１３ｃ，１３ｄに対する嵌合部２２ｃ，２２ｄの嵌合動作に伴って、前記ヒンジ部側の被嵌合部１３ａ，１３ｂに対して、嵌合部２２ａ，２２ｂを嵌合可能である。また、容器本体２に対する蓋体３の閉じ動作に伴って、第１の平坦部２３と傾斜部２５とは接触可能であり、第１の延出部２４と第２の延出部２６とも接触可能である。
【００３３】
また、ヒンジ部４の縦方向の断面において、前記容器本体２側のフランジ１１又は第２の延出部２６より傾斜部２５の高さは低くなっている。
【００３４】
本発明において、傾斜部上端と第１の平坦部との高低差は前記範囲に限定されず、例えば、傾斜部の上端は、第１の平坦部に比べて、０．５〜４ｍｍ、好ましくは１〜３．５ｍｍ、さらに好ましくは１．５〜３ｍｍ程度高くしてもよい。
【００３５】
傾斜部の断面形状は、特に制限されず、蓋体が開いた状態で、前記容器本体の底面及び前記蓋体の天面を同一面又は平行に位置させたとき、図２に示すように直線状であってもよく、湾曲した曲線状（上方に湾曲した曲線状など）に傾斜していてもよい。傾斜部の傾きは、前記範囲に限定されず、前記蓋体が開いた状態で、前記容器本体の底面及び前記蓋体の天面を同一面又は平行に位置させたとき、例えば、１〜６０°、好ましくは２〜５０°（例えば、５〜５０°）、さらに好ましくは２〜４８°（１０〜４８°）、特に１５〜４５°程度であってもよい。なお、傾斜部の断面形状が湾曲した曲線状である場合、傾斜部の傾きとは、傾斜部の下端と上端とを結ぶ直線の傾きとして表わすことができる。
【００３６】
容器本体に対する蓋体の閉じ動作に伴って、容器本体側の傾斜部と第１の平坦部とは少なくとも一部が接触可能であってもよく、全面で接触させてもよい。
【００３７】
前記傾斜部は、容器本体側のフランジの延長部として構成してもよく、前記第１の平坦部は、蓋体側のフランジの延長として構成してもよい。従って、容器本体において、傾斜部と第２の延出部との間には、フランジが形成されていてもよく、傾斜部とフランジとが一体化されていてもよい。同様に、蓋体において、平坦部と第１の延出部との間には、フランジが形成されていてもよく、前記第１の平坦部とフランジとが一体化されていてもよい。
【００３８】
このような容器本体及び蓋体が連結されている一体型容器において、容器本体に対する蓋体の閉じ動作に伴って、外方側の嵌合部及び被嵌合部よりも、ヒンジ部側の嵌合部及び被嵌合部が早く嵌合する必要がある。この嵌合操作において、ヒンジ部側のコーナー部全体に凸状嵌合部を形成すると、嵌合に対する抵抗が生じ易い。そのため、前記コーナー部において、少なくともヒンジ部側の嵌合部は、ヒンジ部側に隣接する側部よりもヒンジ部側に形成することにより、外方側での嵌合に先立って、ヒンジ部側での嵌合を円滑に行うことができ、主に外方側の嵌合を利用して閉じ動作を行うだけで、ヒンジ部側での嵌合をもスムーズに行うことができる。
【００３９】
ヒンジ部側の嵌合部は、コーナー部（アール状コーナー部など）のうち、ヒンジ部側に形成すればよく、特に前記範囲に限定されず、前記コーナー部の両端から延びる垂線の交点を中心とし、この交点からヒンジ部４へ延ばした垂線の角度を０°としたとき、０〜６０°（例えば、５〜６０°）、好ましくは１０〜６０°、さらに好ましくは１０〜５０°程度の範囲、特に４５°以下（１０〜４５°程度）の範囲に形成できる。
【００４０】
ヒンジ部側の被嵌合部、並びに外方側の嵌合部及び被嵌合部は、特に制限されず、コーナー部（アール状コーナー部など）の全体に亘って形成でき、前記コーナー部の両端から延びる垂線の交点を中心とし、この交点からヒンジ部４へ延ばした垂線の角度を０°としたとき、例えば、−２０°〜１１０°、好ましくは−１０°〜１００°、さらに好ましくは０〜９０°程度の範囲に形成できる。なお、ヒンジ部側の被嵌合部は、前記ヒンジ部側の嵌合部と同様の範囲でヒンジ部側に形成してもよい。
【００４１】
外方側の嵌合部及び被嵌合部の形状及びサイズは、角度４５°を中心として、対称又は非対称のいずれであってもよい。また、外方側の嵌合部及び被嵌合部は、コーナー部に限らず、容器本体及び蓋体のうち、ヒンジ部に対して対向する外側部に形成してもよい。さらに、容器の形状によっては、容器本体及び蓋体のうち、ヒンジ部側及び外方側にそれぞれ少なくとも１つの嵌合部及び被嵌合部を形成してもよい。
【００４２】
なお、本発明の包装容器は、前記縦方向の断面において、容器本体側の傾斜部の上端の高さを蓋体側の第１の平坦部の高さより高くすればよく、蓋体による容器本体の閉塞操作に伴って、容器本体の被嵌合部と蓋体の嵌合部とをスムーズに嵌合可能である限り、容器本体及び蓋体の各部位の構造および形状は特に制限されない。例えば、前記容器本体及び蓋体の側壁は、傾斜した傾斜壁であってもよい。前記容器本体の側壁は、直線状に傾斜していてもよく、容器本体の外方へ湾曲していてもよい。外方に傾斜している場合、傾斜壁の傾斜角度は、例えば、底壁からの角度２０〜９０°程度、好ましくは３０〜８５°程度、さらに好ましくは３５〜８０°程度の範囲から選択できる。また、蓋体は、前記容器本体の収容凹部を覆うためのカバー部を備えていればよく、このカバー部は、前記膨出部のように外方に膨出している必要はなく、収容物の種類や量などに応じて適当な形状に形成できる。
【００４３】
容器１を傾けても食品などの収容物が位置ずれするのを抑制するため、収容凹部には、収容凹部を複数個に区分けする仕切を設けてもよい。仕切は、食品などの収容物のサイズ又は形状に合わせて形成してもよい。また、同様の目的で、容器本体の底壁及び側壁には、凹溝、リブ、又は突起部などを形成してもよい。凹溝、リブや突起部などは、規則的又はランダムに複数個形成してもよく、それぞれ組合せて形成してもよい。また、突起部は、収容物のずれや移動を防止可能な形状であればよく、三角形状、四角形状（台形状、長方形状など）などの多角形状、半円形状、半楕円形状などの種々の形状の突起部などであってもよい。
【００４４】
容器本体及び蓋体のフランジは、必ずしも必要ではなく、いずれか一方の部材にのみ形成してもよい。嵌合解除操作を容易にするためには、フランジを形成するのが有利である。従って、嵌合解除操作を容易にするため、容器本体及び／又は蓋体の周縁部の一部、例えば、外方側にのみフランジを形成したり、外方側のコーナー部にのみフランジを形成し、つまみとして利用してもよい。
【００４５】
容器本体の外方側のコーナーの縁部において、滑り止め加工（粗面加工）は必ずしも必要ではない。また、容器本体及び蓋体の双方の外方側のコーナーの縁部に滑り止め加工してもよい。
【００４６】
さらに、前記容器本体の被嵌合部に対して前記蓋体の嵌合部は、互いに実質的に対応又は適合した位置およびサイズ（平面形状において）で形成されていればよく、被嵌合部及び嵌合部の形状及び構造も前記嵌合凸部及び嵌合凹部に限らず、種々の形状や構造が採用できる。
【００４７】
容器の平面形状は、ヒンジ部を有する限り、方形状の他、三角形状、五角形状などの多角形状、円形状、楕円形状などであってもよい。
【００４８】
本発明の包装容器において、容器本体、蓋体、ヒンジ部は、それぞれ透明、半透明又は不透明であってもよいが、少なくともプラスチック製蓋体は透明であるのが好ましく、通常、いずれも透明であるのが好ましい。
【００４９】
前記包装容器において、容器本体、蓋体、ヒンジ部は、それぞれ異素材で形成してもよいが、通常は、同一又は同系統の素材で形成でき、例えば、紙（ラミネート紙や撥水紙などを含む）で形成してもよく、プラスチックシートで形成してもよい。包装容器は、通常、プラスチックシートで形成する場合が多く、包装用容器は、射出成形などの方法で成形してもよいが、通常、種々のプラスチックシート（ポリオレフィン系樹脂シート、スチレン系樹脂シート、ハロゲン化ビニル系樹脂シート、ポリエステル系樹脂シートなどの熱可塑性樹脂シートなど）を慣用の方法（真空成形、吹き込み成形、圧空成形、マッチドモールド成形などの熱成形法）で成形加工することにより形成できる。
【００５０】
本発明の包装容器は、種々の収容物、例えば、食品（菓子類も含む）などを収容するための容器として有用である。
【００５１】
【発明の効果】
本発明では、容器本体と蓋体とがヒンジ部で連結された一体型容器において、ヒンジ部を介して形成された容器本体側の傾斜部と蓋体側の第１の平坦部との高さの関係において、前記傾斜部の上端と前記第１の平坦部に対して高くするので、容器の外観を損なうことなく、１つの閉じ動作で容器本体の開口部を蓋体で閉止できる。また、簡単な操作でスムーズに嵌合及び閉止できる。
【図面の簡単な説明】
【図１】図１は本発明の包装容器の一例を示す概略斜視図である。
【図２】図２は図１の包装容器の要部断面図である。
【図３】図３は図１の要部切欠斜視図である。
【図４】図４は、従来の包装容器の一例を示す部分断面図である。
【図５】図５は、図４の包装容器の部分切欠斜視図である。
【図６】図６は、従来の包装容器の他の例を示す部分断面図である。
【図７】図７は、図６の包装容器の部分切欠斜視図である。
【符号の説明】
１…包装容器
２…容器本体
３…蓋体
４…ヒンジ部
６ｂ…容器本体の底面
１３，１３ａ，１３ｂ，１３ｃ，１３ｄ…被嵌合部
１５ｂ…蓋体の天面
２２，２２ａ，２２ｂ，２２ｃ，２２ｄ…嵌合部
２３…第１の平坦部
２４…第１の延出部
２５…傾斜部
２６…第２の延出部
【図１】
2004067153.tif 000003
【図２】
2004067153.tif 000004
【図３】
2004067153.tif 000005
【図４】
2004067153.tif 000006
【図５】
2004067153.tif 000007
【図６】
2004067153.tif 000008
【図７】
2004067153.tif 000009